(57)【要約】【課題】    伝動ベルトの掛装により駆動回転され、かつ被搬送物を損傷させることなく水平及び垂直のいずれの姿勢であっても搬送可能にすることである。【解決手段】  ローラ本体４１の一端部にプーリ部Ｐ4 が一体に設けられ、当該ローラ本体４１における両端部を除く部分に、パチンコ面板１４の板厚に対応した間隔をおいて一対の規制鍔部Ｇ41，Ｇ42が一体に形成された多数のローラＲ4 を使用して、多数の当該ローラＲ4 を軸心を水平にして配置することにより、一対の規制鍔部Ｇ41，Ｇ42の間の第１支持部４２で垂直姿勢のパチンコ面板１４を支持して搬送すると共に、一対一組となった多数組の前記ローラＲ4 を前記プーリ部Ｐ4 を下方にして垂直に配置して、上方の規制鍔部Ｇ41によりパチンコ面板１４の幅方向の両端部を支持して搬送する。【選択図】  図１３
2013223619.tif 000002
【特許請求の範囲】
【請求項１】
対向配置された一対のローラ支持体に、搬送方向に沿って所定間隔をおいて多数本のローラが軸心を水平にして両端支持され、パチンコ台又は当該パチンコ台を機枠に組み込んだパチンコ機を搬送させるためのローラ搬送装置であって、
前記ローラは、樹脂から成って、軸方向に沿って前記パチンコ台又はパチンコ機の幅に対応した間隔をおいてローラ本体に一体に設けられた一対の規制鍔部と、自身を駆動回転させるためのベルトを掛装させるために前記ローラ本体に一体に設けられたプーリ部とを備えていることを特徴とするローラ搬送装置。
【請求項２】
請求項１に記載のローラ搬送装置に使用されるローラ搬送装置のローラ。
【請求項３】
所定間隔をおいて対向配置された一対のローラ支持体と、
同一軸心上に配置されて、前記一対のローラ支持体の内側にローラ支持軸を介して片持ち状となって対向支持される一対一組となった樹脂から成る多数組の短軸状のローラとを備え、平板状又は盤状の被搬送物を水平姿勢で搬送するためのローラ搬送装置であって、
前記ローラのローラ本体における軸方向に沿って支持側の端部に、自身を駆動回転させるためのベルトを掛装させるためプーリ部が一体に設けられ、当該ローラ本体における前記プーリ部の反支持側の端部のみに、前記被搬送物の幅方向の端部を規制する規制鍔部が、当該プーリ部に隣接して一体に設けられていることを特徴とするローラ搬送装置。
【請求項４】
請求項３に記載のローラ搬送装置に使用されるローラ搬送装置のローラ。
【請求項５】
ローラ本体の一端部にプーリ部が一体に設けられ、当該ローラ本体における両端部を除く部分に、パチンコ面板の板厚に対応した間隔をおいて一対の規制鍔部が一体に形成された多数のローラがローラ支持体に支持されて、当該パチンコ面板を垂直姿勢、又は水平姿勢のいずれでも搬送可能なローラを備えたローラ搬送装置であって、
前記ローラ本体における一対の規制鍔部の間は、垂直姿勢で搬送されるパチンコ面板を支持する第１支持部となっていると共に、前記一対の規制鍔部のうちプーリ部と隣接しない側の規制鍔部は、水平姿勢で搬送されるパチンコ面板の幅方向の一端部を支持する第２支持部となっており、
水平方向に沿って対向配置された一対のローラ支持体の間に、多数本のローラが水平に支持されて、前記プーリ部に掛装された伝動ベルトにより動力が伝達されて駆動回転する各ローラの前記第１支持部により、垂直姿勢のパチンコ面板を支持して搬送する第１搬送方式と、
前記ローラのプーリ部が下方となるようにして、一対一組となった多数組のローラがパチンコ面板の幅に対応した間隔をおいてローラ支持体に垂直に支持されて、水平配置されたパチンコ面板の両端部を、駆動回転される一対一組のローラの前記第２支持部で支持して、パチンコ面板を水平姿勢で搬送する第２搬送方式と、
が選択可能であることを特徴とするローラ搬送装置。
【請求項６】
請求項５に記載のローラ搬送装置に使用されるローラ搬送装置のローラ。
【請求項７】
前記ローラのプーリ部は、３つのプーリ溝を備えていることを特徴とする請求項２，４又は６のいずれかに記載のローラ搬送装置のローラ。
【発明の詳細な説明】
【技術分野】
【０００１】
本発明は、パチンコ台、パチンコ機、或いはパチンコ面板等を搬送するために、当該パチンコ台の組付けライン又は検査ラインに設置されるローラ搬送装置、及びそのローラに関するものである。
なお、本明細書において、「パチンコ台」とは、ベニヤ板等と称されるパチンコ面板の前面に遊技釘が打たれ、前面、及び背面に必要な役物類、及び制御装置類がそれぞれ装着され、外枠に嵌め込まれてパチンコ機となるユニット状態のものを指す。また、「パチンコ面板」とは、前記「パチンコ台」を構成していて、その前面に遊技釘、役物類が装着されると共に、その背面に制御装置類が装着される板状部材であって、当業界では、「ベニヤ」又は「ベニヤ板」とも称されている。
【背景技術】
【０００２】
本発明の搬送対象であるパチンコ台が外枠に嵌め込まれたパチンコ機のローラ搬送装置として、特許文献１に記載のものがある。このローラ搬送装置は、多数のローラを支持するローラ支持枠における各ローラの直上に、前記パチンコ機の幅に対応した間隔をおいて一対の規制板（ガイド板）が搬送方向に沿って取付けられ、当該一対の規制板により、搬送されるパチンコ機の経路を確定している。しかし、このようにして、一対の規制板を設ける方式であると、パチンコ機の外側の下端部が前記一対のガイド板に接触して損傷される。これにより、新規に出荷されるパチンコ機の外観が害され、例え外枠の一部であっても、商品価値を低下させる。
【０００３】
また、パチンコ台又はパチンコ機を搬送するローラ搬送装置として、特許文献２に開示のものが知られている。当該ローラ搬送装置を構成するローラは、非駆動回転のものであって、作業者がパチンコ台又はパチンコ機を手で押して搬送するものであるため、搬送効率が悪い。これ解消するために、アウターロータ型のモータをローラに内装した「モータローラ」と称されるローラも一部には使用されているが、多種多用なローラの寸法構成（ローラ長及びローラ径）に対しては、それぞれにローラ長及びローラ径の異なる「モータローラ」を使用しなければならず、高コストとなってしまう。
【０００４】
また、パチンコ台を構成するパチンコ面板は、ベニヤ板で構成されていたが、近年の木材資源の枯渇化が進むに従って、代替材料として樹脂が使用され、樹脂製のパチンコ面板が使用され始めており、樹脂製のパチンコ面板は、ベニヤ板より傷付けられ易い。
【先行技術文献】
【特許文献】
【０００５】
【特許文献１】特開２００７−２０２９２０号公報
【特許文献２】特開２００５−１９９０２９号公報
【発明の概要】
【発明が解決しようとする課題】
【０００６】
本発明は、伝動ベルトの掛装により駆動回転され、かつ被搬送物を損傷させることなく水平及び垂直のいずれの姿勢であっても搬送可能にしたローラ搬送装置、及びそのローラの提供を課題としている。
【課題を解決するための手段】
【０００７】
上記課題を解決するための請求項１の発明は、対向配置された一対のローラ支持体に、搬送方向に沿って所定間隔をおいて多数本のローラが軸心を水平にして両端支持され、パチンコ台又は当該パチンコ台を機枠に組み込んだパチンコ機を搬送させるためのローラ搬送装置であって、前記ローラは、樹脂から成って、軸方向に沿って前記パチンコ台又はパチンコ機の幅に対応した間隔をおいてローラ本体に一体に設けられた一対の規制鍔部と、自身を駆動回転させるためのベルトを掛装させるために前記ローラ本体に一体に設けられたプーリ部とを備えていることを特徴としている。
【０００８】
請求項１の発明のローラ搬送装置を構成するローラは、パチンコ台又はパチンコ機の幅に対応した間隔を有する一対の規制鍔部と、伝動ベルトを掛装するためのプーリ部を備えていて、駆動回転可能であるために、被搬送物を安定して搬送できると共に、一対の規制鍔部により被搬送物がローラの軸方向にずれるのを防止されるのに加えて、材質が樹脂製であるため、接触により被搬送物を損傷させることも少ない。
【０００９】
請求項２の発明は、請求項１の発明を「ローラ搬送装置のローラ」の面から把握して表現したものであって、その作用効果は、請求項１の発明と実質的に同一である。
【００１０】
請求項３の発明は、所定間隔をおいて対向配置された一対のローラ支持体と、同一軸心上に配置されて、前記一対のローラ支持体の内側にローラ支持軸を介して片持ち状となって対向支持される一対一組となった樹脂から成る多数組の短軸状のローラとを備え、平板状又は盤状の被搬送物を水平姿勢で搬送するためのローラ搬送装置であって、前記ローラのローラ本体における軸方向に沿って支持側の端部に、自身を駆動回転させるためのベルトを掛装させるためプーリ部が一体に設けられ、当該ローラ本体における前記プーリ部の反支持側の端部のみに、前記被搬送物の幅方向の端部を規制する規制鍔部が、当該プーリ部に隣接して一体に設けられていることを特徴としている。
【００１１】
請求項３の発明によれば、一対のローラ支持体の内側に軸心を同一にして片持支持された一対一組となった多数組のローラは、プーリ部にベルトが掛装されることにより、動力源の動力がベルト伝動により伝達されて、駆動回転される。また、一対一組となった多数組のローラによって、平板状又は盤状の被搬送物の幅方向の両端部が支持された状態で、当該各ローラの駆動回転により搬送される。ここで、一対の一組となった多数組のローラには、それぞれ被搬送物の幅方向への移動を規制する規制鍔部が設けられており、各ローラは、樹脂製であるために、被搬送物は、ローラとの接触により損傷されることなく、しかも横方向に蛇行することなく、ローラの駆動回転により直進搬送される。更に、同一軸心上に対向配置された一対一組のローラの間には、何も存在しないので、突出物を有する平板状又は盤状の被搬送物の場合には、当該突出物を下に向けることにより、当該突出物と他の物体との干渉を回避して搬送させられる。
【００１２】
請求項４の発明は、請求項３の発明を「ローラ搬送装置のローラ」の面から把握して表現したものであって、その作用効果は、請求項３の発明と実質的に同一である。
【００１３】
請求項５の発明は、ローラ本体の一端部にプーリ部が一体に設けられ、当該ローラ本体における両端部を除く部分に、パチンコ面板の板厚に対応した間隔をおいて一対の規制鍔部が一体に形成された多数のローラがローラ支持体に支持されて、当該パチンコ面板を垂直姿勢、又は水平姿勢のいずれでも搬送可能なローラを備えたローラ搬送装置であって、前記ローラ本体における一対の規制鍔部の間は、垂直姿勢で搬送されるパチンコ面板を支持する第１支持部となっていると共に、前記一対の規制鍔部のうちプーリ部と隣接しない側の規制鍔部は、水平姿勢で搬送されるパチンコ面板の幅方向の一端部を支持する第２支持部となっており、水平方向に沿って対向配置された一対のローラ支持体の間に、多数本のローラが水平に支持されて、前記プーリ部に掛装された伝動ベルトにより動力が伝達されて駆動回転する各ローラの前記第１支持部により、垂直姿勢のパチンコ面板を支持して搬送する第１搬送方式と、前記ローラのプーリ部が下方となるようにして、一対一組となった多数組のローラがパチンコ面板の幅に対応した間隔をおいてローラ支持体に垂直に支持されて、水平配置されたパチンコ面板の両端部を、駆動回転される一対一組のローラの前記第２支持部で支持して、パチンコ面板を水平姿勢で搬送する第２搬送方式とが選択可能であることを特徴としている。
【００１４】
請求項５の発明によれば、多数のローラを搬送方向に沿って所定間隔をおいて水平配置して、一対のローラ支持体で支持して、各ローラのプーリ部に掛装された伝動ベルトを介して伝達された動力により、当該ローラが駆動回転され、垂直姿勢のパチンコ面板を各ローラの一対の規制鍔部の間の第１支持部で支持して、当該パチンコ面板を垂直姿勢で搬送する。ローラ本体に設けられた一対の規制鍔部の間隔は、パチンコ面板の板厚に対応しているので、搬送中における横方向へのずれが規制され、しかもローラ全体が樹脂で形成されているため、パチンコ面板の接触部が損傷されることもなく、垂直姿勢のパチンコ面板はスムーズに搬送される。
【００１５】
一方、ローラのプーリ部が下方となるようにして、一対一組となった多数組のローラがパチンコ面板の幅に対応した間隔をおいてローラ支持体に垂直に支持されて、水平配置されたパチンコ面板の両端部を、駆動回転される一対一組のローラの前記第２支持部で支持することにより、水平姿勢のパチンコ面板は、接触部において損傷されることなく、各ローラの駆動回転によりスムーズに搬送される。
【００１６】
このように、請求項５の発明では、ローラ支持体に対する同一のローラの支持方式の変更により、パチンコ面板を垂直姿勢で搬送する第１搬送方式と、パチンコ面板を水平姿勢で搬送する第２搬送方式とのいずれに対しても、対応可能となる。
【００１７】
請求項６の発明は、請求項５の発明を「ローラ搬送装置のローラ」の面から把握して表現したものであって、その作用効果は、請求項５の発明と実質的に同一である。                                                    
【００１８】
請求項７の発明は、請求項２，４又は６のいずれかの発明において、前記ローラのプーリ部は、３つのプーリ溝を備えていることを特徴としている。
【００１９】
請求項７の発明においては、特定のローラと、当該特定ローラに対して相前後する各ローラとの間には、当該特定ローラの異なるプーリ溝を用いてベルトが掛装されて、ローラ搬送装置を構成する全てのローラにベルトを介して動力が伝達されて、全ローラが駆動回転される。このため、ローラ搬送装置を構成する多数のローラのうち一端のローラに対して動力源の動力が伝達される場合には、ローラには、２つのプーリ溝を有しておればよい。しかし、ローラ数が多い場合には、ローラ搬送装置の一端から他端に向けてベルト伝動させる場合には、他端側においては、動力の伝達効率が低下して、ローラの回転トルクが低下することにより、被搬送物の搬送に支障を来す。そこで、ローラ搬送装置の搬送経路の中央部に一つ、或いはその中間に複数の動力源を配置する場合には、当該動力源から直接に動力がベルト伝動されるローラは、３つのプーリ溝が必要となる。請求項７の発明は、このような要請に対応したものであって、ローラ搬送装置の搬送経路の中央部に一つ、或いはその中間に複数の動力源を配置することができて、動力の伝達効率の低下により、ローラの回転トルクを低下させることなく、全ローラを均一の回転トルクで駆動回転させられる。
【発明の効果】
【００２０】
本発明によれば、ローラのプーリ部に掛装された伝動ベルトからの動力により、当該ローラが駆動回転され、しかも、ローラは、全体が樹脂製であるために、パチンコ台、パチンコ機、パチンコ面板等の被搬送物の接触部が損傷されることがなく、被搬送物をスムーズに搬送させられる。また、短軸状をした一対一組となった多数組のローラをローラ支持体に対向支持させたり、ローラ本体に一対の規制鍔部が設けられていて、しかも反プーリ部側の規制鍔部の外側には、所定長のローラ本体が残されている一対一組のローラを多数組用いて、ローラ支持体に垂直に支持させることにより、平板状又は盤状の被搬送物を水平姿勢で搬送させられる。
【図面の簡単な説明】
【００２１】
【図１】本発明の実施例１のローラ搬送装置Ｄ1 の平面図である。
【図２】図１のＸ−Ｘ線断面図である。
【図３】（ａ），（ｂ）は、ローラ搬送装置Ｄ1 を構成するローラＲ1 の斜視図、及び縦断面図である。
【図４】（ａ），（ｂ）は、それぞれ別のローラＲ1'の斜視図、及び縦断面図である。
【図５】本発明の実施例２のローラ搬送装置Ｄ2 の平面図である。
【図６】図５のＹ−Ｙ線断面図である。
【図７】（ａ），（ｂ）は、ローラ搬送装置Ｄ2 を構成するローラＲ2 の斜視図、及び縦断面図である。
【図８】本発明の実施例３のローラ搬送装置Ｄ3 の平面図である。
【図９】図８のＺ−Ｚ線断面図である。
【図１０】（ａ），（ｂ）は、ローラ搬送装置Ｄ3 を構成するローラＲ3 の斜視図、及び縦断面図である。
【図１１】（ａ），（ｂ）は、それぞれ本発明の実施例４のローラＲ4 の斜視図、及び縦断面図である。
【図１２】多数のローラＲ4 を用いてパチンコ面板１４を垂直姿勢で搬送するローラ搬送装置Ｄ41の断面図である。
【図１３】多数のローラＲ4 を用いてパチンコ面板１４を水平姿勢で搬送するローラ搬送装置Ｄ42の断面図である。
【発明を実施するための形態】
【００２２】
以下、複数の実施例を挙げて、本発明を更に詳細に説明する。
【実施例１】
【００２３】
図１〜図３に、パチンコ機を搬送するための実施例１のローラ搬送装置Ｄ1 が示されている。ローラ搬送装置Ｄ1 は、対向配置された一対のローラ支持体Ｈにローラ支持軸Ｓ1 を介して多数本のローラＲ1 が回転可能に支持された構成である。ローラＲ1 は、ナイロンから成って、図３に示されるように、ローラ本体１には、貫通孔２が軸方向に貫通して形成され、当該ローラ本体１の軸方向の一端部にプーリ部Ｐ1 が一体に形成され、ローラ本体１における当該プーリ部Ｐ1 を除く部分の両端部に、それぞれリング状の規制鍔部Ｇ1 が一体に形成された構成である。各規制鍔部Ｇ1 の内周面は、外方に傾斜した傾斜面に形成され、一対の規制鍔部Ｇ1 の内端の間隔Ｌ1 は、パチンコ機の幅に対応させて、１０５ｍｍとなっている。前記プーリ部Ｐ1 には、２つのプーリ溝３が形成されている。また、貫通孔２の両端部には、当該貫通孔２よりも大きな内径を有していて、軸受Ｂの外輪が嵌合可能な軸受嵌合孔４が形成されている。ローラ支持軸Ｓ1 は、対向配置された一対のローラ支持体Ｈの間に配置されて、両端部がボルト５を介して当該ローラ支持軸Ｓ1 を構成する内側板部６に固定されている。ローラＲ1 は、自身の貫通孔２に貫通された前記ローラ支持軸Ｓ1 に一対の軸受Ｂを介して回転可能に支持されている。ローラ支持軸Ｓ1 の両端の露出部には、スペーサＫ1 が外嵌されて、当該ローラ支持軸Ｓ1 に対するローラＲ1 の軸方向の位置を定めている。
【００２４】
ローラ搬送装置Ｄ1 を構成する一対のローラ支持体Ｈにおけるパチンコ機Ａの搬送方向Ｑの一端部には、各ローラＲ1 の駆動源である駆動モータＭ1 が設置されて、当該駆動モータＭ1 の駆動軸９１に取付けられたプーリ９２と、パチンコ機Ａの搬送方向Ｑに沿って一端部に配置されたローラＲ1 のプーリ部Ｐ1 を構成する一方のプーリ溝３との間にベルトＶ11が掛装されている。そして、パチンコ機Ａの搬送方向Ｑに沿って相前後する各プーリ部Ｐ1 には、交互に異なるプーリ溝３にベルトＶ12が掛装され、これにより、駆動モータＭ1 の駆動力は、各ベルトＶ11，Ｖ12を介して全ローラＲ1 に伝達されて、全ローラＲ1 が駆動回転される。なお、図２において、７は、一対のローラ支持体Ｈを載置させているベース体を示す。
【００２５】
このため、図２に示されるように、ローラ搬送装置Ｄ1 の搬送方向Ｑに沿った一端部にパチンコ機Ａが移送されると、当該パチンコ機Ａは、ローラＲ1 の一対の規制鍔部Ｇ1 の間に、横方向への大きな移動が規制された状態で配置されて、駆動回転している各ローラＲ1 により、搬送方向Ｑに沿った他端部の側に向けて、自動的にスムーズに搬送される。また、ローラＲ1 がナイロンで形成されているために、パチンコ機ＡにおけるローラＲ1 との接触部は、当該接触によっても殆ど損傷されない。
。
【００２６】
また、図４に示されるローラＲ1'は、パチンコ機Ａの搬送に使用される前記ローラＲ1 に対して、その一対の規制鍔部Ｇ1 の内端の間隔Ｌ1 を、パチンコ台Ｆの搬送に対応させて、短くした部分が異なるのみであって、他の構成は、前記ローラＲ1 と同一又は同等である。即ち、ローラＲ1'の一対の規制鍔部Ｇ1 の間隔Ｌ1'は、４４ｍｍである。従って、ローラＲ1'には、ローラＲ1 と同一部分には、同一符号を付し、同等部分には、同一符号に「’」を付し、図示のみ行って、説明を省略する。
【実施例２】
【００２７】
次に、図５〜図７を参照して、本発明の実施例２のローラ搬送装置Ｄ2 について説明する。ローラ搬送装置Ｄ2 は、パチンコ台Ｆの幅に対応した間隔をおいて対向配置された一対のローラ支持体Ｈの内側板部６に、同一軸心Ｃ上に配置された一対一組となった多数組の短軸状のローラＲ2 が片持支持された構成である。ローラＲ2 は、ナイロンから成り、軸方向に沿ってプーリ部Ｐ2 、規制鍔部Ｇ2 及び支持部１０が、この順序で連続して一体に設けられた構成である。ローラ本体１１には、貫通孔１２が設けられ、支持部１０は、パチンコ台Ｆの幅方向の一端部を支持する部分であって、端面に向けて外径が漸次小さくなるようなテーパー円周面を備えている。プーリ部Ｐ2 は、３つのプーリ溝１２を備えており、規制鍔部Ｇ2 の支持部１０の側の面は、プーリ部Ｐ2 の側に向けて大きく傾斜したテーパー面となっている。ローラ支持軸Ｓ2 は、ボルト５を介してローラ支持体Ｈの内側板部６に固定支持され、前記ローラＲ2 は、一対の軸受Ｂを介してローラ支持軸Ｓ2 に回転可能に支持されている。
【００２８】
また、左右の各ローラ支持体Ｈの内側板部６に支持された多数のローラＲ2 は、搬送経路の途中において当該ローラ支持体Ｈに近接して配置された駆動モータＭ2 によって駆動回転される。即ち、駆動モータＭ2 のプーリ９３と、搬送方向Ｑに沿って中間に配置された「特定のローラＲ2 」の規制鍔部Ｇ2 に最も近接したプーリ溝１３との間にベルトＶ21が掛装され、当該「特定のローラＲ2 」から前後の各ローラＲ2 には、プーリ部Ｐ2 を構成する３つのプーリ溝１３の残りの２つのプーリ溝１３にベルトＶ22が順次掛装されて、当該「特定のローラＲ2 」から他のローラＲ2 に動力が伝達されて駆動回転される。なお、図５において、Ｅは、搬送方向Ｑに沿って配置された多数のローラＲ2 のピッチを示す。
【００２９】
パチンコ台Ｆは、パチンコ面板１４の表面側に、遊技釘、役物類が装着されて、その周囲が飾り枠１５で囲まれ、その裏面側には、制御装置類１６が装着された構成である。そして、パチンコ台Ｆの制御装置類１６を下方に配置して、パチンコ面板１４の幅方向の両端部を一対一組のローラＲ2 の各支持部１０で支持した状態で、当該パチンコ台Ｆは、各組のローラＲ2 の駆動回転によりスムーズに搬送される。搬送時において、パチンコ台Ｆは、一対一組のローラＲ2 の各規制鍔部Ｇ2 によって、左右方向のずれが規制されるために、搬送がスムーズとなる。
【実施例３】
【００３０】
次に、図８〜図１０を参照して、本発明の実施例３のローラ搬送装置Ｄ3 について説明する。ローラ搬送装置Ｄ3 は、上記したパチンコ台Ｆを垂直姿勢で搬送する装置であって、パチンコ機Ａを垂直姿勢で搬送する前記ローラ搬送装置Ｄ1 とは、被搬送物の厚さの相違に対応して、ローラＲ2 の全長がローラＲ1 のそれよりも短くなっていること、ローラ搬送装置Ｄ3 の搬送経路の途中に配置された駆動モータＭ3 によりローラＲ3 が駆動される構成であるために、プーリ部Ｐ3 のプーリ溝３の数が３つであることの２点が相違するのみであるので、実施例１のローラ搬送装置Ｄ1 と同一又は同等部分には、同一符号、又は同一符号に「’」を付して符号、更には、同一符号に対して「添数字」のみを異にした符号を用いて、図示のみ行い、上記した２つの相違点を中心に説明する。
【００３１】
従って、ローラＲ3 の一対の規制鍔部Ｇ3 の間隔Ｌ2 は、搬送対象であるパチンコ台Ｆに対応して（Ｌ2 ＝４４ｍｍ）であって、プーリ部Ｐ3 は、３つのプーリ溝３を備えている。ローラ搬送装置Ｄ3 の搬送方向Ｑの途中に配置された駆動モータＭ3 のプーリ９４と、前記搬送方向Ｑの途中に配置された「特定のローラＲ3 」のプーリ部Ｐ3 の３つのプーリ溝３のうち最も外側のプーリ溝３とにベルトＶ31が掛装され、当該「特定のローラＲ3 」から、その前後の各ローラＲ3 に対しては、実施例２のローラ搬送装置Ｄ2 と同様にして、３つのプーリ溝３のうち残された２つのプーリ溝３が使用され、交互にベルトＶ32が掛装されるプーリ溝３の位置が変えられて、全ローラＲ3 に駆動力が伝達される構成となっている。
【実施例４】
【００３２】
次に、図１１〜図１３を参照して、パチンコ台Ｆを構成するパチンコ面板１４を支持するための本発明の実施例４のローラ搬送装置Ｄ41，Ｄ42について説明する。ローラ搬送装置Ｄ41，Ｄ42は、いずれも使用されるローラＲ4 は共通していて、共通使用の当該ローラＲ4 の配置位置を異ならしめることにより、異なるローラ搬送装置を実現できる点に特徴を有している。ローラＲ4 は、図１１に示されるように、ローラ本体４１の軸方向の一端部にプーリ部Ｐ4 が設けられ、当該プーリ部Ｐ4 の内側に、内端間隔がＬ4 （＝２０ｍｍ）の一対の規制鍔部Ｇ41，Ｇ42が一体に設けられて、ローラ本体４１における当該一対の規制鍔部Ｇ41，Ｇ42は、前記パチンコ面板１４を垂直姿勢で搬送する際において、第１支持部４２を形成している。一対の規制鍔部Ｇ41，Ｇ42の対向する内周面は、互いに外方に向けてテーパー状に形成され、当該規制鍔部Ｇ41に関しては、その外周面もテーパー状に形成されて、断面二等辺三角形状となっていて、当該規制鍔部Ｇ41の外側の周面は、パチンコ面板１４を水平姿勢で搬送する際に、その幅方向の両端部を支持する第２支持部４３となっている。更に、ローラ本体４１は、規制鍔部Ｇ41を超えて所定長だけ延設されていて、当該延設部は、パチンコ面板１４を水平姿勢で搬送する際に、当該パチンコ面板１４が横方向にずれるのを規制するずれ規制部４４として機能する部分である。
【００３３】
このため、図１２に示されるように、対向配置された一対のローラ支持体Ｈの間に水平に配置されて、当該ローラ支持体Ｈに固定されたローラ支持軸Ｓ42に対して左右一対の軸受Ｂを介してローラＲ4 を回転可能に支持され、このようにして支持された多数のローラＲ4 が搬送方向Ｑに沿って所定ピッチをおいて配置されることにより、パチンコ面板１４を垂直姿勢で搬送するためのローラ搬送装置Ｄ41が構成される。ローラＲ4 は、実施例１のローラＲ1 と同様に、そのプーリ部Ｐ4 は、２つのプーリ溝３を備えた構成であるために、各ローラＲ4 を駆動させる駆動モータＭ41は、実施例１のローラ搬送装置Ｄ1 と同様に、ローラ搬送装置Ｄ41を構成する多数のローラＲ4 群の外側に配置される。なお、図１２において、４５は、搬送中の垂直姿勢のパチンコ面板１４が倒れるのを防止するため、設定角度だけ傾斜した場合には、当該設定傾斜角度でパチンコ面板１４を保持させるために、当該パチンコ面板１４の上端部に配置された傾倒防止部材を示す。
【００３４】
よって、ローラ搬送装置Ｄ41によれば、複数本のローラＲ4 の第１支持部４２にパチンコ面板１４が載置されると、各ローラＲ4 の駆動回転により、パチンコ面板１４は、左右一対の規制鍔部Ｇ41，Ｇ42により、その基端部が左右にずれるのを規制され、しかも傾倒防止部材４５により転倒が防止された状態で、スムーズに搬送される。
【００３５】
また、図１３に示されるように、パチンコ面板１４の幅に対応した間隔をおいて一対のローラ支持体Ｈ’が固定配置され、各ローラ支持体Ｈ’にローラ支持軸Ｓ42を介して軸心を垂直にしたローラＲ4 が回転可能に支持され、左右一対が一組となった多数組のローラＲ4 によって、パチンコ面板１４を水平姿勢で搬送するためのローラ搬送装置Ｄ42が構成される。各ローラＲ4 を駆動させる駆動モータＭ42は、左右の各列のローラＲ4 に対応してそれぞれローラ搬送装置Ｄ42の外側に配置され、搬送方向Ｑに沿って一端のローラＲ4 から順次他端のローラＲ4 に動力が伝達されて、全ローラＲ4 が駆動回転される。
【００３６】
よって、図１３に示されるように、ローラ搬送装置Ｄ42を構成する各ローラＲ4 の規制鍔部Ｇ41の外側の傾斜周面である第２支持部４３にパチンコ面板１４の幅方向の両端部を支持させると、当該パチンコ面板１４は、各ローラＲ4 のずれ規制部４４により左右のずれを防止された状態で、駆動回転している各ローラＲ4 によってスムーズに搬送される。
【符号の説明】
【００３７】
Ａ：パチンコ機
Ｃ：対向配置された一対のローラの軸心
Ｄ1,Ｄ2,Ｄ3 Ｄ41, Ｄ42：ローラ搬送装置
Ｆ：パチンコ台
Ｇ1,Ｇ2,Ｇ3 Ｇ41, Ｇ42：規制鍔部
Ｈ：ローラ支持体
Ｌ1,Ｌ2 ：規制鍔部の間隔
Ｍ1,Ｍ2,Ｍ3 Ｍ41, Ｍ42：駆動モータ
Ｐ1 〜Ｐ4 ：プーリ部
Ｒ1 〜Ｒ4 ：ローラ
Ｓ1,Ｓ2,Ｓ3 Ｓ41, Ｓ42：ローラ支持軸
Ｖ11，Ｖ21：モータとローラとの間のベルト
Ｖ12，Ｖ22：ローラ間のベルト
１，１１，４１：ローラ本体
４２：第１支持部
４３：第２支持部
４４：ずれ規制部
【図１】
2013223619.tif 000003
【図２】
2013223619.tif 000004
【図３】
2013223619.tif 000005
【図４】
2013223619.tif 000006
【図５】
2013223619.tif 000007
【図６】
2013223619.tif 000008
【図７】
2013223619.tif 000009
【図８】
2013223619.tif 000010
【図９】
2013223619.tif 000011
【図１０】
2013223619.tif 000012
【図１１】
2013223619.tif 000013
【図１２】
2013223619.tif 000014
【図１３】
2013223619.tif 000015